(57)【要約】      （修正有）【課題】公共機関、公共病院、ドライブイン等におけるトイレのロール紙の交換、使用済の巻き芯の回収作業を効率的に行うことができるロール紙ホルダを提供する。【解決手段】ロール紙ホルダ１は、本体ケース２内の上部にスペース２２が形成され、スペース２２からのロール紙Ｒ１を収容する第１ロール受皿体１０Ａが回動自在に本体ケース２に支持され、第１ロール受皿体１０Ａからのロール紙Ｒ１を収容する第２ロール受皿体１０Ｂが回動自在に本体ケース２に支持され、第１ロール受皿体１０Ａと第２ロール受皿体１０Ｂは、第１開口１１ＢＡと第２開口１１ＢＢが互いに対面する回転角度となるように回転伝達機構１３を介して連結されており、第１ロール受皿体１０Ａと第２ロール受皿体１０Ｂを回転させる駆動機構２３（ハンドル６）を備えている。【選択図】図２
2017148226.tif 000002
【特許請求の範囲】
【請求項１】
上面および下面が開口した竪筒状の本体ケース内の上部に、予備のロール紙を保管する第１予備ロール保管室が形成され、前記本体ケースの下面開口は、ペーパー使用済みの巻き芯を排出するための排出開口として形成され、前記本体ケース内で前記第１予備ロール保管室の下方位置に、前記第１予備ロール保管室からのロール紙を出し入れ自在に通す第１開口を有する第１ロール受皿体が水平軸心回りに回動自在に前記本体ケースに支持され、前記本体ケース内で前記第１ロール受皿体の下方位置に、前記第１ロール受皿体からのロール紙を出し入れ自在に通す第２開口を有する第２ロール受皿体が水平軸心回りに回動自在に前記本体ケースに支持され、前記第１ロール受皿体と前記第２ロール受皿体は、前記第１開口と前記第２開口が互いに対面する回転角度となるように、回転伝達機構を介して回動自在に連結されており、前記回転伝達機構に、前記第１ロール受皿体と前記第２ロール受皿体を回転させる駆動機構が連結されていることを特徴とするロール紙ホルダ。
【請求項２】
前記本体ケースの上面開口に連結される補充用ロール紙収納ケースを備えていて、当該補充用ロール紙収納ケース内に第２予備ロール保管室が形成されている請求項１に記載のロール紙ホルダ。
【請求項３】
前記駆動機構が電動モーターである請求項１または請求項２に記載のロール紙ホルダ。
【請求項４】
前記駆動機構が手回し式のハンドルである請求項１または請求項２に記載のロール紙ホルダ。
【請求項５】
前記本体ケーシングの取出し用開口に配備されていて前記第２ロール受皿体上のロール紙から引き出されたペーパーを載置する受け板と、前記受け板の上面に対し近接自在に前記受け板に枢支されていて前記受け板上に引き出されたペーパーを押える押え板と、前記受け板の前辺に形成された第１切欠き部と、前記押え板の前辺であって前記第１切欠き部と上下対面して重なる位置に形成された第２切欠き部と、を有して成る紙切断器を、備えている請求項１から請求項４までのいずれか一項に記載のロール紙ホルダ。
【請求項６】
前記本体ケースの排出開口の下方位置に、前記排出開口から排出された巻き芯を保管する巻き芯収納ケースを備えている請求項１から請求項５までのいずれか一項に記載のロール紙ホルダ。
【発明の詳細な説明】
【技術分野】
【０００１】
本発明は、ロール紙の補充と取替えと、使用済の巻き芯の回収を、手動によるハンドル操作、またはモーター駆動による電動操作により、ワンタッチで行える、ロール紙ホルダに関するものである。
【背景技術】
【０００２】
従来、公共施設、大病院、高速自動車道のドライブインの大施設から、小は、小規模スーパー、コンビニ等まで、トイレの用意があり、トイレットペーパーも備えてある。このロール紙の一日の使用数は、施設により差が有り、同施設内でも設置個所により差が生じ、同じ個所でも季節により差があるだろう。
また、２個のロール紙の用意では、１日の間に補充を必要とするトイレが多いことだろう。こんな条件下でも、どの施設も、一律に２個のホルダを並べるか、そうでない施設は、１個予備ロール入りのホルダを見かける。また、大きな施設では、清掃従事者が、巡視により、空きロールへのロール紙の補充と使用済の巻き芯の回収を行っている。また、一般家庭では、キッズを利用してトイレ周りにロール紙の用意がしてある。
【０００３】
そこで、ロール紙ホルダに関する特許文献では、下記の特許文献１，２に記載されたロール紙ホルダが知られている。これらのロール紙ホルダはいずれも、本体ケース内の上部に予備のロール紙を収容する予備ロール収容室を有し、予備ロール収容室内の下部に予備のロール紙を中空保持する保持部材を有し、保持部材の下方には使用されるロール紙を保持する平行配置で１対の受けローラを有している。そして、１対の受けローラ間の間隔は、全てのペーパーが消費されて残った巻き芯を通過させることのできる寸法に設定されている。受けローラ間の間隔は、無駄なく全てのペーパーを使い切らせるために、極力巻き芯の外径に近い寸法に設定されている。
【先行技術文献】
【特許文献】
【０００４】
【特許文献１】特開平７−２７５１６１号公報
【特許文献２】実開平５−８０３９５号公報
【発明の概要】
【発明が解決しようとする課題】
【０００５】
トイレ利用者に対し、空きホルダを提供しないように、トイレ周りに使用済の巻き芯が転がっていないようにと、見回りの時間間隔を短くしたとしても、巡回する都度に、ロール紙の補充と巻き芯の回収を行う必要があるとは限らない。また、一人分のロール紙が残っていたとしても、ロール紙の交換を余儀なく行う事情もあるだろう。ここに施設者の負担と、清掃従業者の作業時間配分の非効率と、資源の損失も生じている。また、そこまでしてもまだ、トイレ横にロール紙を備えて、必要の時にはご使用して下さいの意思表示があるのは、巡回にて解決するには、限界があることの証だとも考えられる。また、一般家庭においても、ロール紙が切れて、急いでいるとき程、取り替える時間が長いように感じる時がある。
本発明は、以上のような課題をなくすためになされたものである。
【０００６】
更には、一般的な巻き芯は歪んでいたり大きく変形していたりしていることが多々ある。このように巻き芯が歪んだり大きく変形したりしていると、巻き芯の外径に近い寸法に設定されている受けローラ間の隙間を通過できない場合が生じる。このように本体ケース内で巻き芯が詰まると、次の予備ロール紙を規定位置に補充できなくなるおそれがある。また、予備ロール収容室内の予備のロール紙は、比較的尖った保持部材により中空保持されているので、予備ロール紙が保持部材に引っ掛かって１対の受けローラ上に落下できず本体ケース内でロール詰まりを起こすというおそれもある。
【課題を解決するための手段】
【０００７】
上記した諸課題を解決するために、本発明に係るロール紙ホルダは、上面および下面が開口した竪筒状の本体ケース内の上部に、予備のロール紙を保管する第１予備ロール保管室が形成され、本体ケースの下面開口は、ペーパー使用済みの巻き芯を排出するための排出開口として形成され、本体ケース内で第１予備ロール保管室の下方位置に、第１予備ロール保管室からのロール紙を出し入れ自在に通す第１開口を有する第１ロール受皿体が水平軸心回りに回動自在に本体ケースに支持され、本体ケース内で第１ロール受皿体の下方位置に、第１ロール受皿体からのロール紙を出し入れ自在に通す第２開口を有する第２ロール受皿体が水平軸心回りに回動自在に本体ケースに支持され、第１ロール受皿体と第２ロール受皿体は、第１開口と第２開口が互いに対面する回転角度となるように、回転伝達機構を介して回動自在に連結されており、前記回転伝達機構に、第１ロール受皿体と第２ロール受皿体を回転させる駆動機構が連結されていることを特徴とする構成にしてある。
【０００８】
また、前記構成において、本体ケースの上面開口に連結される補充用ロール紙収納ケースを備えていて、当該補充用ロール紙収納ケース内に第２予備ロール保管室が形成されているものである。
【０００９】
そして、前記した各構成において、駆動機構を電動モーターとしたものである。
【００１０】
更に、前記した各構成において、駆動機構を手回し式のハンドルとしたものである。
【００１１】
また、前記した各構成において、本体ケーシングの取出し用開口に配備されていて第２ロール受皿体上のロール紙から引き出されたペーパーを載置する受け板と、受け板の上面に対し近接自在に受け板に枢支されていて受け板上に引き出されたペーパーを押える押え板と、受け板の前辺に形成された第１切欠き部と、押え板の前辺であって第１切欠き部と上下対面して重なる位置に形成された第２切欠き部と、を有して成る紙切断器を、備えているものである。
【００１２】
そして、前記した各構成において、本体ケースの排出開口の下方位置に、前記排出開口から排出された巻き芯を保管する巻き芯収納ケースを備えているものである。
【発明の効果】
【００１３】
本発明に係るロール紙ホルダによれば、本体ケース内に配備された第１ロール受皿体と第２ロール受皿体は、第１開口と第２開口が互いに対面する回転角度となるように、回転伝達機構を介して回動自在に連結されており、第１ロール受皿体と第２ロール受皿体を回転させる駆動機構を備えているので、利用者はロール紙の補充、巻き芯の回収を駆動機構へのワンタッチの操作で行うことができる。また、本体ケース内の上部に第１予備ロール収容室を備えているので、この第１予備ロール収容室に適宜数の予備ロール紙を収容しておけば、例えば翌朝の作業開始までの間に、ロール紙の補充と使用済の巻き芯の回収作業を行わなくて済む。また、巻き芯が歪んでいたり大きく変形していたりしても、その巻き芯は第２受皿部内に単に載っているだけなので、第２受皿部の回転により簡単に落下するから、確実に本体ケースから排出させることができる。すなわち、本体ケース内での巻き芯やロール紙の詰まりを確実に防止できる。更には、ロール紙に少しでもペーパーが残っている状態での交換をしなくて済み、ペーパーを完全に使い終われるから、資源の節減につながる。
【００１４】
また、第２予備ロール保管室を有していて本体ケースの上面開口に連結される補充用ロール紙収納ケースを備えているものでは、第１予備ロール保管室内の予備ロール紙のみならず第２予備ロール保管室内の予備ロール紙も使えるので、多量の予備ロール紙を用意でき、いったん予備ロール紙を第１予備ロール保管室および第２予備ロール保管室に収容した後は、次の予備ロール紙補充作業までの時間を長く確保できるから、利用者の多い場所で使用され得るロール紙ホルダとして好適に提供することができる。すなわち、清掃作業者に関しては、個々のトイレの使用頻度数に対応した数のロール紙を収納した補充用ロール紙収納ケースを朝の始業時にセットしておけば、２４時間、ロール補充、交換、および巻き芯の回収作業をしなくて済む。
【００１５】
そして、駆動機構として電動モーターを採用したものでは、手回しなどにかける労力を必要とすることなく、手軽に第１ロール受皿体および第２ロール受皿体の回転駆動を行えるので、予備ロールの補充および使用済み巻き芯の排出をボタン押しひとつで自動的に行うことができる。
【００１６】
更に、駆動機構として手回し式のハンドルを採用したものでは、構造が極めて簡素で故障しにくく安価なホルダを得ることができる。しかも、第１ロール受皿体および第２ロール受皿体を利用者の望む回転速度で１回転させることができ、望みの回転角度で止めることも可能である。すなわち、利用者は、ロール紙の取出し用開口への補充交換を、ロール紙にも巻き芯にも触れることなく、本体ケースに付設した手回し式のハンドルを１回転させるだけ、またはモーター始動用のスイッチボタンを押すだけのワンタッチ作業で済ませることができる。
【００１７】
また、受け板と押え板とを有して成る紙切断器を備えているものでは、受け板に載せたペーパーを押え板で挟んだ状態で、上方向または下方向のいずれでも引いて切り取ることができる。また、切り取られたペーパーの先端部は受け板上に載ったままなので、従来汎用のホルダのように切り取られたペーパー先端部がロール部分から垂れ下がって見栄えを損なわせるといったことがない。更には、受け板の第１切欠き部と押え板の第２切欠き部を有しているので、利用者はこれら第１切欠き部と第２切欠き部に露出したペーパーの先端部を容易かつ確実に掴んで引き出すことができる。
【００１８】
そして、本体ケースの排出開口の下方位置に、排出開口から排出された巻き芯を保管する巻き芯収納ケースを備えているものでは、巻き芯収納ケース内が使用済みの巻き芯で満杯になるまでの時間を長く確保できるから、利用者の多い場所で使用され得るロール紙ホルダとして好適に提供することができる。因みに、使用済みの巻き芯が発生する頻度が少ない一般家庭などでは、利用者が第２ロール受皿体を回転させたときに、本体ケースの排出開口から排出された巻き芯をその利用者が手で受けて廃棄すればよいので、巻き芯収納ケースを備えていなくても済む。すなわち、一般家庭人に関しては、備品の補充用ロール紙収納ケースを備えていなくても、ペーパー取り出し中のロール紙を消費し終える度に、１個の予備ロール紙を本体ケースの上面開口から差し入れて置くだけの補充でよい。
【図面の簡単な説明】
【００１９】
【図１】本発明の一実施形態に係るロール紙ホルダを示す正面図である。
【図２】前記ロール紙ホルダのケース内を示す一部断面を含む正面図である。
【図３】前記ロール紙ホルダのケース内を示す一部断面を含む側面図である。
【図４】本発明の他の実施形態に係るロール紙ホルダのケース内を示す一部断面を含む正面図である。
【図５】前記他のロール紙ホルダのケース内を示す一部断面を含む側面図である。
【図６】前記一実施形態および他の実施形態に係るロール紙ホルダに用いる本体ケースの分解正断面図である。
【図７】前記一実施形態および他の実施形態に係るロール紙ホルダに用いる本体ケースの分解側断面図である。
【図８】前記一実施形態および他の実施形態に係るロール紙ホルダに用いる第１ロール受皿体または第２ロール受皿体を示す図であって、（ａ）は正面図、（ｂ）は平面図、（ｃ）は側面図である。
【図９】前記他の実施形態に係るロール紙ホルダに用いる回動伝達機構を示す図であって、（ａ）は側面図、（ｂ）は正断面図である。
【図１０】前記一実施形態および他の実施形態に係るロール紙ホルダに用いる紙切断器によりペーパーを切断する態様を側面から見た説明図である。
【図１１】前記一実施形態および他の実施形態に係るロール紙ホルダに用いる紙切断器を示す図であって、（ａ）は平面図、（ｂ）は正面図、（ｃ）は（ｂ）における円Ｄ内の部分拡大図、（ｄ）は部分側面図である。
【図１２】前記一実施形態および他の実施形態に係るロール紙ホルダに用いる補充用ロール紙収納ケースを示す図であって、（ａ）は平面図、（ｂ）は正面図である。
【図１３】前記一実施形態および他の実施形態に係るロール紙ホルダに用いる第１ロール受皿体および第２ロール受皿体の回転角度の変化、ロール紙の受渡し状態、ならびに使用済み巻き芯の排出状態を順に示した動作説明図である。
【発明を実施するための形態】
【００２０】
本発明の実施形態を図面に基づいて説明する。尚、以下に述べる実施形態は本発明を具体化した一例に過ぎず、本発明の技術的範囲を限定するものでない。図１は本発明の一実施形態に係るロール紙ホルダを示す正面図、図２は前記ロール紙ホルダのケース内を示す一部断面を含む正面図、図３は前記ロール紙ホルダのケース内を示す一部断面を含む側面図である。
各図において、この実施形態に係るロール紙ホルダ１は、上面開口８Ａおよび下面の排出開口８Ｂを有する竪角筒状に形成された本体ケース２と、本体ケース２の前面に開口して形成された取出し用開口５に配備された紙切断器４と、本体ケース２内で上下に配備された第１ロール受皿体１０Ａおよび第２ロール受皿体１０Ｂと、第１ロール受皿体１０Ａおよび第２ロール受皿体１０Ｂを回転させるための駆動機構２３の一例である手回し式のハンドル６と、第１ロール受皿体１０Ａおよび第２ロール受皿体１０Ｂとを回動自在に駆動連結する回動伝達機構１３と、を備えて構成されている。本体ケース２の排出開口８Ｂは、ペーパーＰ使用済みの巻き芯Ｑを排出するために形成されている。取出し用開口５は、第２ロール受皿体１０Ｂに収容されたロール紙ＲからのペーパーＰを取り出すために形成されている。
【００２１】
前記の本体ケース２は、図６および図７にも示すように、上面開口８Ａを有する上ケース２Ａと、取出し用開口５を有する中ケース２Ｂと、排出開口８Ｂを有する下ケース２Ｃと、から構成されている。中ケース２Ｂは、上ケース２Ａまたは下ケース２Ｃに対し前方下向きに傾斜して形成されており、これにより第２ロール受皿体１０Ｂが第１ロール受皿体１０Ａよりも２０ｍｍ前方に配置されてロール紙ＲからのペーパーＰを取り出し易くなっている。これらの上ケース２Ａ、中ケース２Ｂ、下ケース２Ｃのそれぞれの端面は、接着剤で、または係合凸部と係合凹部の係止により固着される。上ケース２Ａ内には、予備のロール紙Ｒ１を保管するスペース（第１予備ロール保管室の例）２２が形成されている。上ケース２Ａには、スペース２２内の予備のロール紙Ｒ１を視認するためののぞき窓（図示省略）が設けられている。
【００２２】
本体ケース２内でスペース２２の下方位置には、第１ロール受皿体１０Ａが水平軸心Ｃ１回りに回動自在に支持されている。この第１ロール受皿体１０Ａは、スペース２２からのロール紙Ｒを収受する側面視半月皿状の第１受皿部１１ＡＡと、ロール紙Ｒを出し入れ自在に通す第１開口１１ＢＡと、を有している。第１受皿部１１ＡＡの左右外側面には水平軸７Ａ，７Ａがそれぞれ外向きに突出して設けられており、これらの水平軸７Ａ，７Ａが本体ケース２の左右の軸受孔１２，１２に回動自在に軸支されている。これらの軸受孔１２，１２は、上ケース２Ａと中ケース２Ｂとの境目に形成されている。
【００２３】
そして、本体ケース２内で第１ロール受皿体１０Ａの下方位置には、第２ロール受皿体１０Ｂが水平軸心Ｃ２回りに回動自在に支持されている。この第２ロール受皿体１０Ｂは、第１ロール受皿体１０Ａからのロール紙Ｒを収受する側面視半月皿状の第２受皿部１１ＡＢと、ロール紙Ｒを出し入れ自在に通す第２開口１１ＢＢと、を有している。第２受皿部１１ＡＢの左右外側面には水平軸７Ｂ，７Ｂがそれぞれ外向きに突出して設けられており、これらの水平軸７Ｂ，７Ｂが本体ケース２の左右の軸受孔１２，１２に回動自在に軸支されている。これらの軸受孔１２，１２は、中ケース２Ｂと下ケース２Ｃとの境目に形成されている。これらの第１ロール受皿体１０Ａと第２ロール受皿体１０Ｂは、図８にも詳しく示してある。
【００２４】
前記した第１ロール受皿体１０Ａと第２ロール受皿体１０Ｂは、第１開口１１ＢＡと第２開口１１ＢＢとが互いに対面する回転角度となるように、回転伝達機構１３を介して回動自在に連結されている。回転伝達機構１３は、水平軸７Ａの一端部に取り付けられた伝達用歯車１４と、水平軸７Ｂに取り付けられて伝達用歯車１４と噛合する伝達用歯車１５と、水平軸７Ａの他端部に取り付けられた手回し式のハンドル６と、から構成されている。前記の伝達用歯車１４と伝達用歯車１５は、同型、同寸法である。第１ロール受皿体１０Ａの中心と第２ロール受皿体１０Ｂの中心との間の寸法は１１６ｍｍに設定されているので、各歯車１４，１５のピッチ径も１１６ｍｍφに設定されている。また、回転がスムーズになるように、モジュールは２に設定し、歯数は５８枚としている。そして、前記のハンドル６は、第１ロール受皿体１０Ａと第２ロール受皿体１０Ｂを同期回転させるための駆動機構２３である。伝達用歯車１４と伝達用歯車１５の外方は駆動部カバー３で覆われている。反対側に突出した水平軸７Ａと水平軸７Ｂはそれぞれ軸受カバー９で覆われている。
【００２５】
更に、本体ケース２の上ケース２Ａの上方位置には、図２に示すように、補充用ロール紙収納ケース２０が配備されている。補充用ロール紙収納ケース２０内には、図１２にも詳しく示すように、更なる予備のロール紙Ｒ１を収容するための第２予備ロール保管室４１が形成されている。この補充用ロール紙収納ケース２０は、その下面開口２１が本体ケース２の上面開口８Ａに嵌着され連結されるようになっており、その上面開口４０から予備のロール紙Ｒ１が補充される。
【００２６】
既述した紙切断器４は、図１０および図１１にも詳しく示すように、下ケース２Ｃの前面上部に取り付けられて立ち上がる取付け板部３８と、取付け板部３８の上面に固設されて左右方向に延びる受け板３１と、受け板３１の一端部に立設された軸受部３３と、一端部に突設された枢支軸３４が軸受部３３に回動自在に軸支されて受け板３１に対し近接自在に揺動する押え板３５と、を備えて構成されている。押え板３５における枢支軸３４寄りには下向きに突出した凸部３５Ｂが形成され、自由端寄りの下面にも凸部３７が設けられている。これらの凸部３５Ｂ，３７は受け板３１との間でペーパーＰをしっかり掴んで保持するためのものである。
【００２７】
受け板３１の後辺には、下向きに湾曲した留め部３２が形成されている。この留め部３２は、第２ロール受皿体１０Ｂの第２受皿部１１ＡＢに収容されたロール紙ＲからペーパーＰが繰り出される際に、前方に引き寄せられるロール紙Ｒと干渉してロール紙Ｒを押し留める働きをする。一方、押え板３５の後辺には、上向きに湾曲した案内部３６が形成されている。この案内部３６は、第２ロール受皿体１０Ｂに収容されたロール紙ＲからペーパーＰが繰り出される際に、受け板３１と押え板３５の間にペーパーＰを確実に案内する働きをする。受け板３１の前辺には第１切欠き部３１Ａが後向きに陥入して形成されている。押え板３５の前辺であって第１切欠き部３１Ａと上下対面して重なる位置には、第２切欠き部３５Ａが後向きに陥入して形成されている。これらの第１切欠き部３１Ａおよび第２切欠き部３５Ａは、前回切断後のペーパーＰの先端部ＰＡを手で確実に掴みやすくするためのものである。
【００２８】
上記のように構成されたロール紙ホルダ１の作用を次に説明する。この場合、ロール紙受渡し用の第１ロール受皿体１０Ａは、第１受皿部１１ＡＡが最も高い位置に在り第１開口１１ＢＡが垂直方向の真下を向いているような回転角度の姿勢になっている。一方、ロール紙取出し用の第２ロール受皿体１０Ｂは、第２受皿部１１ＡＢが最も低い位置に在り第２開口１１ＢＢが垂直方向の直上を向いているような回転角度の姿勢になっている。すなわち、第１ロール受皿体１０Ａと第２ロール受皿体１０Ｂは、それぞれ、第１開口１１ＡＡと第２開口ＡＢが互いに対面するような回転角度になっている。そこで、本体ケース２の上面開口８Ａから予備のロール紙Ｒ１が投入されて第１予備ロール収容室２２に収容される。収容された予備のロール紙Ｒ１は、第１ロール受皿体１０Ａにおける第１受皿部１１ＡＡの外周面上に載置される。
【００２９】
前記の状態で、第２ロール受皿体１０Ｂにおける第２受皿部１１ＡＢ内に収容されていたロール紙ＲのペーパーＰが全て消費されて、使用済みの巻き芯Ｑが残った後の、巻き芯Ｑの排出動作および予備ロール紙Ｒ１の補充動作について、図１３を主に用いて説明する。図１３は、第１ロール受皿体１０Ａの上に予備のロール紙Ｒ１が載置され、その第１ロール受皿体１０Ａと第２ロール受皿体１０Ｂとがそれぞれ逆向きに１回転する間の姿勢変化を示している。この例では、本体ケース２を右側面から見て、ハンドル６の手回しにより、第１ロール受皿体１０Ａが右回転し、第２ロール受皿体１０Ｂが左回転する場合を示している。但し、第１ロール受皿体１０Ａと第２ロール受皿体１０Ｂの回転方向をそれぞれ逆回りにしても構わない。スタート時における回転角度０度の状態は、第２ロール受皿体１０Ｂ内で使用済の巻き芯Ｑだけが残っており、第１ロール受皿体１０Ａは第１開口１１ＢＡが下方を向いて何も収容していず、次に使用されるロール紙Ｒ１を第１受皿部１１ＡＡの外周面上に載置している状況である。
【００３０】
回転角度が進んで、第１ロール受皿体１０Ａおよび第２ロール受皿体１０Ｂの回転が９０度を過ぎた頃に、第１ロール受皿体１０Ａ上のロール紙Ｒ１が下方に動き始め、第２ロール受皿体１０Ｂ内の巻き芯Ｑが下方に落ち始める。１８０度近くまで回転角度が進むと、第１ロール受皿体１０Ａの第１受皿部１１ＡＡ内にロール紙Ｒ１が収容される。回転角度が１８０度のとき、第１ロール受皿体１０Ａと第２ロール受皿体１１ＡＢは、それぞれ、第１受皿部１１ＡＡの外周面と第２受皿部１１ＡＢの外周面とが互いに対面するような回転角度になっている。更に、回転角度が進み、２７０度を過ぎた頃から、第１ロール受皿体１０Ａのロール紙Ｒ１は、第１受皿部１１ＡＡ内から下方へ再び移動を始める。３６０度の１回転を終えた時、第１ロール受皿体１０Ａの第１開口１１ＡＢは下方を向き、スタート時の状態（回転角度＝０度）に戻る。一方、第２ロール受皿体１０Ｂは第２受皿部１１ＡＢがロール紙Ｒ１を受け取り、この状態でロール紙Ｒ１はトイレ利用者にトイレットペーパーとして引き出されるロール紙Ｒとなる。
【００３１】
ロール紙Ｒの最初の利用者は使用に際して、紙切断器４の受け板３１から押え板３５を立ち上げ、取出し用開口５から手を差し入れて第２ロール受皿体１０Ｂ内のロール紙ＲのペーパーＰを手前に引き出す。そして、引き出したペーパーＰを受け板３１上に載せ、押え板３５を降ろし凸部３５Ｂ，３７でペーパーＰを押えて固定する。この状態で、ペーパーＰの先端部ＰＡを掴んで持ち上げるか、押し下げると、ペーパーＰは破断されて使用され得る。破断後に残されたペーパーＰの先端部ＰＡは、抑え板３５と受け板３１との間に挟まれたままの状態で保持されているから、次の利用者は、前者と同じく、第１切欠き部３１Ａおよび第２切欠き部３５Ａに指先を入れペーパーＰを引き出して使用する。この動作は、ロール紙ＲのペーパーＰが全量消費されるまで続けられる。
【００３２】
以上に説明したように、この実施形態のロール紙ホルダ１によれば、清掃作業従事者に関しては、朝の作業時に、使用頻度に対応した数のロール紙Ｒを、用意し、本体ケース２にセットしておけば、翌朝の作業開始までの２４時間は、ロール紙Ｒの交換と、使用済の巻き芯Ｑの回収作業を行わなくて済む。利用者個人としては、手動用のハンドル６を１回転回すだけで、ロール紙Ｒの補充、巻き芯Ｑの回収をワンタッチで行えるという効果がある。その他、清掃従事者による、ロール紙Ｒの交換作業が無くなるので、ロール紙Ｒを最後まで使用することができる。結果として大きく資源の無駄使いの節減に貢献することができる。また、巻き芯Ｑが歪んでいたり大きく変形していたりしても、その巻き芯Ｑは半円筒状の第２受皿部１１ＡＢ内に単に載っているだけなので、第２受皿部１１ＡＢの回転により簡単に落下するから、本体ケース２から確実に排出させることができる。すなわち、本体ケース２内で巻き芯Ｑが詰まるといった事態により次のロール紙Ｒの使用ができなくなるという不具合を未然に防止できる。他方で、予備のロール紙Ｒ１も半円筒状の第１受皿部１１ＡＡの内外に単に載せられているだけなので、従来技術のような予備ロール保持用の保持部材に予備のロール紙Ｒ１が引っ掛かって本体ケース２内でロール詰まりを起こすといった不具合も生じることはない。
【００３３】
尚、上記の実施形態では、駆動機構２３として手回し式のハンドル６を用いた例を示したが、本発明はそれに限定されるものでない。例えば、図４〜図７に示す、電動用として使用するところのロール紙ホルダ１ａも本発明に含まれる。このロール紙ホルダ１ａでは、駆動機構２３として電動モーター１６が使用される。電動モーター１６は、本体ケース２の上ケース２Ａの左側面に取り付けられたモーター部カバー３ａＡ内に設置されている。モーター部カバー３ａＡは駆動部カバー３ａの上部に形成されたものである。そして、電動モーター１６は、モーター部カバー３ａＡの外面に設置されたスイッチ１８の入切により電動駆動がオン・オフされるようになっている。電動モーター１６におけるモーター駆動軸１９の先端部にはモーター歯車１７が取り付けられている。このモーター歯車１７は、図９にも示すように、先の実施形態で述べた回転伝達機構１３の伝達用歯車１４と噛合して伝達用歯車１４および伝達用歯車１５を回転させるようになっている。すなわち、この実施形態における回転伝達機構１３ａは、モーター歯車１７、伝達用歯車１４および伝達用歯車１５を備えて構成されている。このとき使用する電動モーター１６は、ヘッドに減速装置を備え、リミッターを備えて回転が制御できる製品である。
【００３４】
前記のように駆動機構２３として電動モーター１６を採用しているので、ハンドル手回しなどにかける労力を必要とすることなく、手軽に第１ロール受皿体１０Ａおよび第２ロール受皿体１０Ｂの回転駆動を行える。従って、予備ロールＲの補充・交換および使用済みの巻き芯Ｑの排出をボタン押しひとつで自動的に行うことができる。
【００３５】
更に、この実施形態におけるロール紙ホルダ１ａは、本体ケース２の排出開口８Ｂの下方位置に、その排出開口８Ｂから排出された巻き芯Ｑを保管するための巻き芯収納ケース２５を備えている。この巻き芯収納ケース２５は、上面開口２７を有する角箱状のケース２６で構成されている。このような巻き芯収納ケース２５を備えているので、ケース２６内が使用済みの巻き芯Ｑで満杯になるまでの長い時間を確保することができる。これにより、利用者の多い場所（例えば、高速道路のサービスエリアなど）で使用され得るロール紙ホルダ１ａとして好適である。尚、一般家庭などで使用する場合は、使用済みの巻き芯Ｑが発生する頻度が少ないので、利用者が第２ロール受皿体１０Ｂを回転させたときに、本体ケース２の排出開口８Ｂから排出された巻き芯Ｑをその都度手で受けて廃棄すればよいので、巻き芯収納ケース２５は備えなくても済む。
【００３６】
更に、ロール紙ホルダ１，１ａは、本体ケース２の上ケース２Ａの上方に、備品である補充用ロール紙収納ケース２０をセットすることができる。補充用ロール紙収納ケース２０としては、ロール紙Ｒ１が１個入り用と２個入り用と３個入り用の３機種がある。３個入り用の補充用ロール紙収納ケース２０を利用する場合は、ロール紙ホルダ１内の２個のロール紙Ｒ，Ｒ１と合わせて計５個を連続して利用できる。これに加え、下ケース２Ｃの排出開口８Ｂの下方に、同じく備品の巻き芯収納ケース２５を併用することにより、セットした時刻から、２４時間は、ロール紙Ｒの補充、交換と巻き芯Ｑの回収作業が不要となる。この補充用ロール紙収容ケース２０は、その下面開口２１が本体ケース２の上面開口８Ａに嵌着されるようになっており、選択した補充用ロール紙収納ケース２０内のロール紙個数分が、予備のロール紙Ｒ１として補給される。
【００３７】
前記のように補充用収納ケース２０および巻き芯収納ケース２５を利用した場合に、２４時間、ロール紙Ｒの補充交換と、巻き芯Ｑの回収を不要にできる条件を記述する。ペーパーＰの全長が６０メートルのロール紙Ｒを使用し、１人平均１メートルのペーパーＰを使用して、トイレの利用時間を平均５分間とする。この条件で、同じトイレを、２４時間切れ目なく利用した時のロール紙Ｒの必要個数は４．８個と計算できる。この事から言える事は、個々のトイレの１日分のロール紙使用個数を把握しておき、そのトイレに対応した補充用ロール紙収納ケース２０の１個入り用、２個入り用、３個入り用の、いずれかをセットしておけば、トイレ横に予備のロール紙Ｒ１を置いておく必要が無くなり、どのトイレにおいても、２４時間はロール紙Ｒの補充交換と巻き芯Ｑの回収が不要になることが判る。
【００３８】
更に、一般家庭内での使用に関し、補充用ロール紙収納ケース２０と巻き芯収納ケース２５が不要とされる家庭でも、手回し式のハンドル６を１回転させることで、ロール紙Ｒの交換と巻き芯Ｑの排出がワンタッチで行える。また、ロール紙ホルダ１内には、常時２個のロール紙Ｒを収納することができるので、１個のロール紙Ｒを使い終えた時、本体ケース２の上ケース２Ａ上部の上面開口８Ａから、１個のロール紙Ｒ１を差し入れて補充しておけば、ロール紙Ｒが切れて慌てるといったことは無くなる。
【００３９】
また、上記では、ロール紙として、トイレットペーパーロールを例に挙げたが、本発明のロール紙はそれに限定されない。例えば、医療用ロール紙、調理用ロール紙、工業用ロール紙、或いは合成樹脂製フィルムやシートを巻いて成るロールフィルムやロールシートなどを収容するホルダとしても適用できることは言うまでもない。
【００４０】
また、上記では、回転伝達機構として複数歯車の組合せ構成を例示したが、それに替えて、例えばスプロケットとチェーン、プーリとベルトなどを回転伝達機構として用いることも可能である。
【００４１】
尚、本発明は、上記した実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００４２】
１，１ａ  ロール紙ホルダ
２  本体ケース
２Ａ  上ケース
２Ｂ  中ケース
２Ｃ  下ケース
３，３ａ  駆動部カバー
３ａＡ  モーター部カバー
４  紙切断器
５  取出し用開口
６  ハンドル
７Ａ  水平軸
７Ｂ  水平軸
８Ａ  上面開口
８Ｂ  排出開口
９  軸受カバー
１０Ａ  第１ロール受皿体
１０Ｂ  第２ロール受皿体
１１ＡＡ  第１受皿部
１１ＡＢ  第２受皿部
１１ＢＡ  第１開口
１１ＢＢ  第２開口
１２  軸受孔
１３，１３ａ  回転伝達機構
１４  伝達用歯車
１５  伝達用歯車
１６  電動モーター
１７  モーター歯車
１８  スイッチ
１９  モーター駆動軸
２０  補充用ロール紙収納ケース
２１  下面開口
２２  スペース（第１予備ロール収容室）
２３  駆動機構
２５  巻き芯収納ケース
２６  ケース
２７  上面開口
３１  受け板
３１Ａ  第１切欠き部
３２  留め部
３３  軸受部
３４  枢支軸
３５  押え板
３５Ａ  第２切欠き部
３５Ｂ  凸部
３６  案内部
３７  凸部
３８  取付け板部
４０  上面開口
４１  第２予備ロール収容室
Ｃ１，Ｃ２  水平軸心
Ｐ  ペーパー
Ｑ  巻き芯
Ｒ  ロール紙
Ｒ１  予備のロール紙
【図１】
2017148226.tif 000003
【図２】
2017148226.tif 000004
【図３】
2017148226.tif 000005
【図４】
2017148226.tif 000006
【図５】
2017148226.tif 000007
【図６】
2017148226.tif 000008
【図７】
2017148226.tif 000009
【図８】
2017148226.tif 000010
【図９】
2017148226.tif 000011
【図１０】
2017148226.tif 000012
【図１１】
2017148226.tif 000013
【図１２】
2017148226.tif 000014
【図１３】
2017148226.tif 000015